(57)【要約】【課題】移動通信システムと固定電話システムとが併用されたシステムであって、ユーザが使用する移動通信端末の状態に応じて自動的に着信転送を実現できるようにする。【解決手段】本発明の電話交換システムは、着信転送手段を有する電話交換機と、電話交換機に収容される複数の移動体端末と、電話交換機に収容される複数の電話端末とを備える電話交換システムにおいて、電話交換機から着信要求を受信した各移動体端末が、充電中である場合に、当該着信要求に対する応答を休止する応答休止手段を備え、電話交換機の着信転送手段が、着信要求をした移動体端末からの応答がない場合に、この移動体端末に対応する電話端末に着信転送することを特徴とする。【選択図】      図１
2009239663.tif 000002
【特許請求の範囲】
【請求項１】
着信転送手段を有する電話交換機と、
上記電話交換機に収容される複数の移動体端末と、
上記電話交換機に収容される複数の電話端末と
を備える電話交換システムにおいて、
上記電話交換機から着信要求を受信した上記各移動体端末が、充電中である場合に、当該着信要求に対する応答を休止する応答休止手段を備え、
上記電話交換機の着信転送手段が、上記着信要求をした上記移動体端末からの応答がない場合に、この上記移動体端末に対応する上記電話端末に着信転送することを特徴とする電話交換システム。
【請求項２】
上記応答休止手段が、
充電用インターフェース部からの充電開始通知に基づいて充電中であることを認識すると、充電中状態であることを記憶する記憶部と、
着信要求を受信したときに、当該移動体端末の状態を確認する状態確認部と、
当該移動体端末が充電中状態の場合に、受信した着信要求に対する処理を行なわない処理休止部と
を有することを特徴とする請求項１に記載の電話交換システム。
【請求項３】
上記応答休止手段が、充電用インナーフェース部から取り外し通知を受けると、上記充電中状態を解除する解除部を有することを特徴とする請求項２に記載の電話交換システム。
【請求項４】
着信転送手段を有する電話交換機と、
上記電話交換機に収容される複数の移動体端末と、
上記電話交換機に収容される複数の電話端末と
を備える電話交換システムでの電話交換方法において、
上記電話交換機から着信要求を受信した上記各移動体端末が、充電中である場合に、当該着信要求に対する応答を休止し、
上記電話交換機が、上記着信要求をした上記移動体端末からの応答がない場合に、この上記移動体端末に対応する上記電話端末に着信転送する
ことを特徴とする電話交換方法。
【請求項５】
移動通信システムと固定電話システムとの間で着信転送する着信転送手段を有する電話交換機に収容される移動体端末において、
上記電話交換機から着信要求を受信しても、充電中である場合には、当該着信要求に対する応答を休止する応答休止手段を備えることを特徴とする移動体端末。
【発明の詳細な説明】
【技術分野】
【０００１】
本発明は、電話交換システム、電話交換方法及び移動体端末に関し、例えば、ＰＨＳ（パーソナルハンディフォンシステム）等の移動通信システムと固定電話システムとを併用した電話交換システム、電話交換方法及び移動体端末に適用し得るものである。
【背景技術】
【０００２】
例えば、ＰＨＳ等の移動通信システムでの移動通信端末のほとんどが、小型化設計され、その携行性の良さから、このような移動通信システムを用いた事業所内の電話交換システムが多く存在する。その一方で、固定電話機は、種々の機能を有し、その操作性に優れている。
【０００３】
そのため、事業所等では、移動通信システムと固定電話システムとを併用する電話交換システムが広く用いられている。
【０００４】
このような移動通信システムと固定電話システムとを併用し、利用者の移動体端末と電話端末との間での着信転送機能を有する電話交換システムでは、両者の利点を効果的に運用できるように、着席時には固定電話機を使用でき、離席時には移動通信端末を使用できることが望ましい。
【０００５】
特許文献１には、ＰＨＳシステムにおいて、ＰＨＳの公衆／屋内モードの状態及び時間により、ボタン電話装置の端末保有者の状態、即ち在席、不在、帰宅を自動的に切り替える技術が記載されている。
【０００６】
【特許文献１】特開２０００−５０３５５号公報
【発明の開示】
【発明が解決しようとする課題】
【０００７】
しかしながら、上述した特許文献１の記載技術は、ボタン電話装置の状態モードを公衆モードと構内モードとのいずれかに切り替えることはできるが、着信の転送処理については自動的に切り替えることができない。
【０００８】
つまり、特許文献１の記載技術の場合、着信転送を動作させるためには、ユーザが電話交換機に対して、サービス開始及び停止操作を手動で切り替えることが必要であり、ユーザにとっては煩雑で負担の大きい操作であり、かつ、例えば操作忘れ等により必要な電話着信できない等のおそれが生じ得る。
【０００９】
そのため、移動通信システムと固定電話システムとが併用されたシステムであって、ユーザが使用する移動通信端末の状態に応じて自動的に着信転送を実現できる電話交換システム、電話交換方法及び移動体端末が望まれている。
【課題を解決するための手段】
【００１０】
かかる課題を解決するために、第１の本発明の電話交換システムは、着信転送手段を有する電話交換機と、電話交換機に収容される複数の移動体端末と、電話交換機に収容される複数の電話端末とを備える電話交換システムにおいて、（１）電話交換機から着信要求を受信した各移動体端末が、充電中である場合に、当該着信要求に対する応答を休止する応答休止手段を備え、（２）電話交換機の着信転送手段が、着信要求をした移動体端末からの応答がない場合に、この移動体端末に対応する電話端末に着信転送することを特徴とする。
【００１１】
第２の本発明の電話交換方法は、着信転送手段を有する電話交換機と、電話交換機に収容される複数の移動体端末と、電話交換機に収容される複数の電話端末とを備える電話交換システムでの電話交換方法において、（１）電話交換機から着信要求を受信した各移動体端末が、充電中である場合に、当該着信要求に対する応答を休止し、（２）電話交換機が、着信要求をした移動体端末からの応答がない場合に、この移動体端末に対応する電話端末に着信転送することを特徴とする。
【００１２】
第３の本発明の移動体端末は、移動通信システムと固定電話システムとの間で着信転送する着信転送手段を有する電話交換機に収容される移動体端末において、（１）電話交換機から着信要求を受信しても、充電中である場合には、当該着信要求に対する応答を休止する応答休止手段を備えることを特徴とする。
【発明の効果】
【００１３】
本発明によれば、移動通信システムと固定電話システムとが併用されたシステムであって、ユーザが使用する移動通信端末の状態に応じて自動的に着信転送を実現できる。
【発明を実施するための最良の形態】
【００１４】
（Ａ）第１の実施形態
以下では、本発明の電話交換システム、電話交換方法及び移動体端末の第１の実施形態について図面を参照して説明する。
【００１５】
（Ａ−１）第１の実施形態の構成
図２は、第１の実施形態の電話交換システム１０の全体構成を示す全体構成図である。
【００１６】
図２において、第１の実施形態の電話交換システム１０は、移動体端末１、電話端末２、電話交換機３、充電台４、移動体端末１と無線通信を行う基地局５を少なくとも有して構成される。なお、図２では、説明便宜上、電話交換システム１０を構成するそれぞれの構成要件の数を１個とする場合を示すが、特に限定されるものではない。
【００１７】
図２に示す電話交換システム１０は、移動通信システムと固定電話システムとを併用する電話交換システムであって、例えば事業所等に設けられるシステムを想定する。
【００１８】
移動体通信システムについては、その通信形式は特に限定されるものではないが、例えばＰＨＳを適用できる。また、固定電話システムについても、その通信形式は特に限定されるものではないが、例えばＩＰ網を適用できる。
【００１９】
移動体端末１は、電話交換システム１０で適用される移動通信システムに対応する移動通信端末であり、例えばＰＨＳ端末等が該当する。
【００２０】
充電台４は、移動体端末１を充電するものである。第１の実施形態では、説明便宜上、充電台を例示するが、その形態は特に限定されるものではなく、この他に充電コード等も適用できる。
【００２１】
図３は、移動体端末１の主な内部構成を示す内部構成図である。図３に示すように、移動体端末１は、充電用インターフェース部１１、通信制御部１２、記憶部１３、通信部１４を少なくとも有する。
【００２２】
充電用インターフェース部１１は、充電の際に、充電用コネクタと接続するインターフェースである。また、充電用インターフェース部１１は、通信制御部１２と接続しており、充電開始の旨を通信制御部１２に知らせるものである。
【００２３】
通信制御部１２は、移動体端末１の各種機能を司る制御手段である。通信制御部１２が実現する機能としては、例えば発信処理や着信処理などの一般的な移動体端末と同様の処理を制御する。また、通信制御部１２は、充電用インターフェース部１１から充電開始の旨の通知を受けると、充電中であることを示す充電中フラグを記憶部１３にセットし、その後に着信要求を受信しても応答しないようにする応答休止機能を有する。
【００２４】
記憶部１３は、例えばＲＯＭやＲＡＭやＥＥＰＲＯＭ等の記憶手段である。記憶部１３は、移動体端末１が実現する各種処理プログラム、履歴情報、電話帳情報等を記憶するものである。また、記憶部１３は、通信制御部１２の制御の下、当該端末が充電中であることを示す情報（充電中フラグ）を記憶するものである。
【００２５】
通信部１４は、通信制御部１２の制御の下、無線通信処理を行うものである。通信部１４は、電話交換システム１０に採用される移動通信システムの通信方式に従って行うものであり、特に限定されるものではなく広く適用することができる。
【００２６】
電話端末２は、固定電話システムで使用されると電話端末であり、例えば一般的な固定電話機、パーソナルコンピュータ上で実行されるソフトフォン等が該当する。
【００２７】
電話交換機３は、公衆網に接続するものであって、構内ネットワーク上の電話交換処理を行うものであり、一般的なＰＢＸを採用することができる。ここで、構内ネットワークでの内線電話番号は、各利用者に対して予め割り当てられており、電話交換機３は、各利用者の移動体端末の状態に応じて、各利用者の内線電話番号を移動体端末１又は電話端末のいずれかに対応付けて管理するものである。
【００２８】
図４は、第１の実施形態の電話交換機３の主な内部構成を示す内部構成図である。図４に示すように、交換制御部３１、公衆網側インターフェース部３２、移動通信側インターフェース部３３、固定通信側インターフェース部３４、交換テーブル３５を少なくとも有する。
【００２９】
交換制御部３１は、交換テーブル３５を参照しながら、公衆網側インターフェース部３２、移動通信側インターフェース部３３及び固定通信側インターフェース部３４のいずれかからの発信要求について発信先との交換処理を行うものである。また、交換制御部３１は、既存の種々の構内ネットワークサービスを提供するものである。
【００３０】
さらに、交換制御部３１は、交換テーブル３５で管理されるテーブル内容の設定、変更（例えば追加、削除、編集など）を行うものである。
【００３１】
ここで、交換制御部３１によるテーブル内容の設定等については、着信先である移動体端末１に対して着信要求信号を送信して応答がない場合には、移動体端末１は着信しない状態であると判定し、当該利用者の電話端末２に内線電話番号を対応付けるようにする方法をとることができる。これにより、移動体端末１が圏内にある場合でも、当該利用者の電話端末２に着信させることができる。
【００３２】
また、従来と同様に、移動体端末１との間の制御信号の授受により、移動体端末１が圏外であるか又は圏内であるかに応じて、テーブル内容の設定等する方法や、各利用者からの手動による設定等の方法も適用することができる。
【００３３】
交換テーブル３５は、交換制御部３１の制御の下、各利用者の内線電話番号を管理する管理テーブルである。交換テーブル３５は、各利用者の移動体端末１の状態に応じて、各利用者の内線電話番号を、各利用者の移動体端末１又は電話端末２に対応付けて管理するものである。
【００３４】
公衆網側インターフェース部３２は、公衆網と接続して通信処理を行うインターフェースである。移動通信側インターフェース部３３は、無線通信を行う基地局５と接続して移動通信処理を行うインターフェースである。固定通信側インターフェース部３４は、電話端末３４と接続する固定電話通信を行うインターフェースである。
【００３５】
（Ａ−２）第１の実施形態の動作
次に、第１の実施形態の電話交換システム１０における処理について図面を参照して説明する。
【００３６】
図５は、移動体端末１における通常の着信処理の動作を示すシーケンス図である。
【００３７】
まず、利用者の移動体端末１に対する着信要求があると、電話交換機３の交換制御部３１は、移動通信側インターフェース部３３を介して、移動体端末１宛の着信要求を送信する。なお、このとき、交換テーブル３５では、当該利用者の内線電話番号は移動体端末１に対応付けられている。
【００３８】
電話交換機３からの着信信号報知が移動体端末１に与えられ（ステップＳ５０１）、基地局からの着信信号が移動体端末１の通信部１４に与えられると（ステップＳ５０２）、その着信要求受信通知が通信制御部１２に与えられる（ステップＳ５０３）。
【００３９】
通信制御部１２では、着信要求受信通知を受信すると、自状態管理を着信要求受信中状態に遷移させ（ステップＳ５０４）、アプリケーションに対して着信表示を通知する（ステップＳ５０５）。
【００４０】
通信制御部１２では、自端末１が着信可能であるか否かを判定し、着信可能である場合に接続要求をレイヤ３（Ｌ３）に与えて（ステップＳ５０６）接続処理を行い（ステップＳ５０７）、通信部１４に対して接続指示を行う（ステップＳ５０８）。
【００４１】
通信部１４は、通信制御部１２から接続指示を受けると、基地局５を特定してリンク確立等の着信に必要な処理を行い（ステップＳ５０９）、電話交換機３に対して着信受付通知を送信する（ステップＳ５１０）。
【００４２】
また、通信部１４は、通信制御部１２に対して接続成功（ＯＫ）の接続結果を受けると（ステップＳ５１１）、通信制御部１２は、自端末１を着信中に遷移させ（ステップＳ５１２）、アプリケーションに対して着信を通知して（ステップＳ５１３）、例えばディスプレイ等を着信状態に変化させたり、着信鳴動等を行う（ステップＳ５１４）。
【００４３】
ここで、一般的に、利用者が着席すると、自身の移動体端末１を充電台４に置くことが行なわれる。また、着席した場合には電話端末２を使用することが望まれる。
【００４４】
そこで、第１の実施形態では、充電台４に置かれたことを移動体端末１が認識し、これをもって、電話端末２への着信転送できるようにする。
【００４５】
図６は、充電台４に置かれたことを認識する移動体端末１の処理を示すフローチャートである。図１は、充電中状態での着信処理を示すシーケンス図である。
【００４６】
まず、着席した利用者により自身の移動体端末１は充電台４に置かれる。移動体端末１では、充電開始通知が通信制御部１２に与えられと（ステップＳ６０１）、充電が開始し（ステップＳ６０２）、充電中フラグが記憶部１３に書き込まれる（ステップＳ６０３、Ｓ６０４）。これにより、充電中状態であることが書き込まれて、処理が終了する（ステップＳ６０５）。
【００４７】
そして、その間に、図１に示すように、電話交換機３からの着信信号が報知され（ステップＳ１０１）、基地局からの着信信号が移動体端末１の通信部１４に与えられ（ステップＳ１０２）、着信要求信号が通信制御部１２に与えられる（ステップＳ１０３〜Ｓ１０５）。
【００４８】
このとき、図６に示すように、着信表示が通信制御部１２に与えられると（ステップＳ６０６）、通信制御部１２は、記憶部１３の自端末の状態フラグを見て、自端末が充電中状態か否かを判定し、充電中状態である場合（ステップＳ６０７、Ｓ６０８）には着信表示無視し（ステップＳ６０９、Ｓ１０６）終了する（ステップＳ６１０）。
【００４９】
そして、電話交換機３に対して着信受付通知を送信しないことができるので（ステップＳ１０７）、電話交換機３では、圏外転送サービスとして当該利用者の電話端末に内線電話番号を対応付ける（ステップＳ１０８）。
【００５０】
その結果、電話交換機３では、移動体端末１は圏外であると認識して自動的に圏外転送処理を起動する。
【００５１】
なお、移動体端末１において、充電台４から取り外されると、解除通知が充電用インターフェース部１１から通信制御部１２に与えられる。これにより、通信制御部１２は充電中状態フラグを解除する。
【００５２】
（Ａ−３）第１の実施形態の効果
以上のように、第１の実施形態によれば、移動体端末が充電中状態であると認識する場合に、着信要求を受信しても、その着信要求を無視することで着信受付通知の返信を行なわないようにできるので、電話交換機で自動的に着信転送処理を起動させることができる。
【００５３】
また、第１の実施形態では、電話交換機に特別な機能を設けることなく、一般的なサービス機能である「圏外転送」を備えていれば、どのメーカの物でも本機能を実現することが可能である。
【図面の簡単な説明】
【００５４】
【図１】第１の実施形態の充電中状態の移動体端末の着信処理を示すシーケンス図である。
【図２】第１の実施形態の電話交換システムの全体構成を示す全体構成図である。
【図３】第１の実施形態の移動体端末の内部構成を示す内部構成図である。
【図４】第１の実施形態の電話交換機の内部構成を示す内部構成図である。
【図５】第１の実施形態の通常状態の移動対端末の着信処理を示すシーケンス図である。
【図６】第１の実施形態の充電する移動体端末における処理を示すフローチャートである。
【符号の説明】
【００５５】
１…移動体端末、２…電話端末、３…電話交換機、４…充電台、５…基地局、１１…充電用インターフェース部、１２…通信制御部、１３…記憶部、１４…通信部。
【図１】
2009239663.tif 000003
【図２】
2009239663.tif 000004
【図３】
2009239663.tif 000005
【図４】
2009239663.tif 000006
【図５】
2009239663.tif 000007
【図６】
2009239663.tif 000008